(57)【要約】【課題】製造時間を短縮し、短時間で加工でき、半田付けを必要としないノーズパッドとクリングス及び該ノーズパッドとクリングスとを具える眼鏡を提供する。【解決手段】パッド体と、該パッド体上に形成され、かつそれぞれに貫通孔が穿設された２つの突起部と、該２つの突起の間に形成され、クリングスを収納する凹溝と、  該貫通孔に挿通されて該クリングスを固定する挿入ピンとを具え、係るクリングスと、ノーズパッドと、を眼鏡に連結する。【選択図】図１０Ａ
2009075336.tif 000002
【特許請求の範囲】
【請求項１】
パッド体と、
該パッド体上に形成され、かつそれぞれに貫通孔が穿設された２つの突起部と、
該２つの突起の間に形成され、クリングスを収納する凹溝と、
該貫通孔に挿通されて該クリングスを固定する挿入ピンとを具えることを特徴とする一体に構成された眼鏡のノーズパッドとクリングス。
【請求項２】
前記ノーズパッドの底部にベースを嵌合する第１歯部を形成し、該ベースに該パッド部に嵌合する第２歯部を形成することを特徴とする請求項１に記載の一体に構成された眼鏡のノーズパッドとクリングス。
【請求項３】
前記パッド体の底部に文字、もしくは図形を表示することを特徴とする請求項１に記載の一体に構成された眼鏡のノーズパッドとクリングス。
【請求項４】
パッド体と、
該パッド体上に形成され、かつそれぞれの内側に突起部に貫通孔が穿設された２つの突起と、
該２つの突起の間に形成され、クリングスを収納する凹溝と、を具えることを特徴とする一体に構成された眼鏡のノーズパッドとクリングス。
【請求項５】
前記ノーズパッドの底部にベースを嵌合する第１歯部を形成し、該ベースに該パッド部に嵌合する第２歯部を形成することを特徴とする請求項４に記載の一体に構成された眼鏡のノーズパッドとクリングス。
【請求項６】
前記パッド体の底部に文字、もしくは図形を表示することを特徴とする請求項４に記載の一体に構成された眼鏡のノーズパッドとクリングス。
【請求項７】
中間の外周縁にクリングスをそれぞれ具え、かつ互いに連結する２つのリムと、該クリングスに連結するノーズパッドとを含む眼鏡であって、
該ノーズパッドはパッド体とベースを含み、該ノーズパッドが該クリングスを介して該眼鏡に接続し、
該ベース体上に２つの突起部を形成し、該２つの突起部にそれぞれ貫通孔を穿設し、
該２つの突起部の間に該クリングスを収納する凹溝を形成して挿入ピンを該貫通孔に挿通させて該クリングスを固定し、
該クリングスの一端に、該ノーズパッドへの連結が容易になるように環状部を形成することを特徴とする一体に構成されたノーズパッドとクリングスを具える眼鏡。
【請求項８】
前記パッド体の底部にベースが嵌合する第１歯部を形成し、該ベースに該パッド体に連結する第２歯部を形成し、かつ該パッド体に文字、もしくは図形を表示することを特徴とする請求項７に記載の一体に構成されたノーズパッドとクリングスを具える眼鏡。
【請求項９】
中間の外周縁にクリングスをそれぞれ具え、かつ互いに連結する２つのリムと、該クリングスに連結するノーズパッドとを含む眼鏡であって、
該ノーズパッドはパッド体とベースを含み、該ノーズパッドが該クリングスを介して該眼鏡に接続し、
該ベース体上に２つの突起部を形成し、該２つの突起部にそれぞれ貫通孔を穿設し、
該２つの突起部の間に該クリングスを収納する凹溝を形成し、
それぞれの該突起部の内側には、該クリングスを固定する突起を形成し、
該クリングスの一端には、該ノーズパッドへの聯かつが容易になるように環状部を形成することを特徴とする一体に構成されたノーズパッドとクリングスを具える眼鏡。
【請求項１０】
前記パッド体の底部にベースが嵌合する第１歯部を形成し、該ベースに該パッド体に連結する第２歯部を形成し、かつ該パッド体に文字、もしくは図形を表示することを特徴とする請求項９に記載の一体に構成されたノーズパッドとクリングスを具える眼鏡。
【発明の詳細な説明】
【技術分野】
【０００１】
この発明は眼鏡に関し、特に一体に構成されることによって、製造コストを節減し、製造工程において半田付けによる有毒ガスの汚染の発生を防ぎ、かつ貴金属の使用を省き、使用上の利便性を達成するノーズパッドとクリングスに関する。
【背景技術】
【０００２】
科学技術の急速な発展にともない、現代社会の人々はほとんどがテレビジョン、コンピュータ、又はその他視聴覚設備に長時間接触するようになった。このように、眼を使う仕事、もしくはプライベートな生活環境にあって、たゆまず仕事に励み、読書し、余暇においても眼を使う。よって、自身の視力の健康問題を省みる暇がない。
このため、ますます多くの人がものをはっきりみるために眼鏡を掛けて視力を矯正するようになった。
【０００３】
近年ビジュアル情報設備が発展してきた。公共の交通機関のシステムにおけるビジュアル情報設備から家庭における視聴覚設備に至るまで、毎日ビジュアル情報が提供され、人々はこれらを拒絶することができなくなっている。しかも、人々のこれら設備を使用する姿勢が不適であったり、接触する時間が長くなりすぎたりして、軽微な場合は視力が容易に疲労し、重い場合は視力の健康に影響し、予期できぬ危害が形成されている。
【０００４】
しかしながら、一般に眼鏡を選択する場合、レンズとフレームに対する要求は高いが、ノーズパッドの作用を見過ごしている。また、眼鏡をかける人は、ややともすればフレームが緩いとか、きついとか不満を漏らす。フレームが緩いと眼鏡がずり落ちる。きついと鼻梁と耳の周りが痛くなる。それでいて、比較的軽量のフレームと、比較的軽量で高級なレンズを選択すれば、眼鏡を購買する予算を増やさなければならなくなる。商品側からいえば、ユーザーの期待に副うことができなくなり、ユーザーの購買欲を吸引することができなくなる。
【０００５】
また、設計の好ましくない眼鏡はノーズパッドの部分の支点が一箇所だけであるため、眼鏡がなじまず、ユーザーの鼻梁を圧迫して痕をつけるという問題が発生する。
【０００６】
したがって、眼鏡の多くは見た感じがどれも似通っていて、様式も美的である。但し、かけてみると、その差異はかなり大きい。このため、かけ心地がよく、廉価な眼鏡を見つけることは、ユーザーにとって難しいことである。
【０００７】
図１に従来の眼鏡を開示する。図面によれば、眼鏡１０はリム１２と、テンプル１４と、レンズ１６と、テンプル14と、レンズ１６と、ネジ式可動ノーズアーム (Screw-type adjustable nose arm)18と、ノーズパッド２４と、クリングス２６とを具える。リム１２は両テンプル１４にそれぞれ接続し、リム１２の中間の外周縁に２つのクリングス２６を具え、それぞれネジ（図示しない）でノーズパッド２４に連結する。
【０００８】
図２Ａに開示する従来のネジ式可動ノーズアーム１８はクリングス２６と半田で溶着する。ネジ式可動ノーズアーム１８は両側にネジ孔２０を穿設し、半田付けを利用して、かつ。ネジでクリングス２６を接続し、ネジ式可動ノーズアーム１８とクリングス２６との間に半田ポイント２５を形成する。
【０００９】
図２Ｂは、従来のクリップ式可動ノーズアーム (click-type adjustable nose
arm)22と、クリングス26との溶着による組み合わせを開示する。クリップ式可動ノーズアーム２２の両側にはそれぞれ内方向に向かって突起２８が形成され、固定の用途に用いる。また、クリップ式可動ノーズアーム２２とクリングス２６との間に半田ポイント２７を形成する。
【００１０】
従来の技術において、ネジ式可動ノーズアーム１８とクリングス２６との材料はニッケル／銀であって、クリップ式可動ノーズアーム２２の材料はベリリューム銅である。しかしながら、これら材料はいずれも高価であり、かつ資源を消耗する金属材であって、経済的効率に適しない。
【００１１】
また、従来の眼鏡（例えば図１に開示するもの）は、金属製のリムとネジによって、クリングスを介してノーズパッドを眼鏡に連結する。この場合、溶着するか、孔を穿設して、初めて完全な眼鏡となる。しかも、半田付けの工程において毒性の気体が発生する。よって、実際には時間と手間がかかり、健康と環境を害することになり、かつ眼鏡の製造工程が極めて複雑になる。
【００１２】
以上をまとめると、ネジ式可動ノーズアーム１８とクリップ式ノーズアーム２２は、いずれも従来の半田による溶着方式でクリングス２６に連結させ、またネジ式可動ノーズアーム１８は孔を穿設してネジを挿通させなければならない。しかも高価な金属で製造する。これは手間がかかり複雑な製造工程であって、しかも地球の資源の浪費と、汚染を容易に発生させる。
【発明の開示】
【発明が解決しようとする課題】
【００１３】
上述するように、ノーズパッドと眼鏡の製造コストを節減し、製造工程を簡易化できるのみならず、ユーザーに使用上便利な効果を提供し、従来の技術に比して、さらに明らかな経済的効果をもたらす眼鏡の開発が望まれている。
【００１４】
そこで、この発明は製造時間を短縮し、短時間で加工しやすい製造工程を達成できる一体に構成されたノーズパッドとクリングス及び該ノーズパッドとクリングスとを具える眼鏡を提供することを課題とする。
【００１５】
また、この発明は、製造工程を短縮するのみならず、地球の資源を浪費することなく、かつ製造工程において毒性の気体が発生し危害を及ぼすことのない一帯に構成されたノーズパッドとクリングス及び該ノーズパッドとクリングスとを具える眼鏡を提供することを課題とする。
【課題を解決するための手段】
【００１６】
そこで、本発明者は従来の技術に見られる欠点に鑑み鋭意研究を重ねた結果、パッド体と、該パッド体上に形成され、かつそれぞれに貫通孔が穿設された２つの突起部と、該２つの突起の間に形成され、クリングスを収納する凹溝と、  該貫通孔に挿通されて該クリングスを固定する挿入ピンとを具え、一体に構成される眼鏡のクリングスと、ノーズパッドと、及びこれらを具える眼鏡の構造によって課題を解決できる点に着眼し、係る知見に基づいて本発明を完成させた。
【００１７】
以下、この発明について具体的に説明する。
請求項１に記載する一体に構成された眼鏡のノーズパッドとクリングスは、パッド体と、
該パッド体上に形成され、かつそれぞれに貫通孔が穿設された２つの突起部と、
該２つの突起の間に形成され、クリングスを収納する凹溝と、
該貫通孔に挿通されて該クリングスを固定する挿入ピンとを具える。
【００１８】
請求項２に記載する一体に構成された眼鏡のノーズパッドとクリングスは、請求項１におけるノーズパッドの底部にベースを嵌合する第１歯部を形成し、該ベースに該パッド部に嵌合する第２歯部を形成する。
【００１９】
請求項３に記載する一体に構成された眼鏡のノーズパッドとクリングスは、請求項１におけるパッド体の底部に文字、もしくは図形を表示する。
【００２０】
請求項４に記載する一体に構成された眼鏡のノーズパッドとクリングスは、パッド体と、
該パッド体上に形成され、かつそれぞれの内側に突起部に貫通孔が穿設された２つの突起と、
該２つの突起の間に形成され、クリングスを収納する凹溝と、を具える。
【００２１】
請求項５に記載する一体に構成された眼鏡のノーズパッドとクリングスは、請求項４におけるノーズパッドの底部にベースを嵌合する第１歯部を形成し、該ベースに該パッド部に嵌合する第２歯部を形成する。
【００２２】
請求項６に記載する一体に構成された眼鏡のノーズパッドとクリングスは請求項４におけるパッド体の底部に文字、もしくは図形を表示する。
【００２３】
請求項７に記載する一体に構成されたノーズパッドとクリングスを具える眼鏡は、中間の外周縁にクリングスをそれぞれ具え、かつ互いに連結する２つのリムと、該クリングスに連結するノーズパッドとを含む眼鏡であって、
該ノーズパッドはパッド体とベースを含み、該ノーズパッドが該クリングスを介して該眼鏡に接続し、
該ベース体上に２つの突起部を形成し、該２つの突起部にそれぞれ貫通孔を穿設し、
該２つの突起部の間に該クリングスを収納する凹溝を形成して挿入ピンを該貫通孔に挿通させて該クリングスを固定し、
該クリングスの一端に、該ノーズパッドへの連結が容易になるように環状部を形成する。
【００２４】
請求項８に記載するノーズパッドとクリングスを具える眼鏡は、請求項７におけるパッド体の底部にベースが嵌合する第１歯部を形成し、該ベースに該パッド体に連結する第２歯部を形成し、かつ該パッド体に文字、もしくは図形を表示する。
【００２５】
請求項９に記載するノーズパッドとクリングスを具える眼鏡は、中間の外周縁にクリングスをそれぞれ具え、かつ互いに連結する２つのリムと、該クリングスに連結するノーズパッドとを含む眼鏡であって、
該ノーズパッドはパッド体とベースを含み、該ノーズパッドが該クリングスを介して該眼鏡に接続し、
該ベース体上に２つの突起部を形成し、該２つの突起部にそれぞれ貫通孔を穿設し、
該２つの突起部の間に該クリングスを収納する凹溝を形成し、
それぞれの該突起部の内側には、該クリングスを固定する突起を形成し、
該クリングスの一端には、該ノーズパッドへの聯かつが容易になるように環状部を形成する。
【００２６】
請求項１０に記載する一体に構成されたノーズパッドとクリングスを具える眼鏡は、請求項９におけるパッド体の底部にベースが嵌合する第１歯部を形成し、該ベースに該パッド体に連結する第２歯部を形成し、かつ該パッド体に文字、もしくは図形を表示する。
【発明の効果】
【００２７】
この発明は、製造工程を簡易化し、製造コストを節減することができるため、ユーザーに低価格の眼鏡を提供できるとともに、眼鏡をかけた時の圧力と不快感を減少させ、ユーザーに快適な使い心地を提供することができ、ユーザーの異なるニーズに応えることができるという利点を有する。
【００２８】
また、この発明は製造工程を簡易化し、ノーズパッドとクリングスと一体に構成するため、従来の技術に見られるように工程が煩雑になり、半田付けによる毒性の気体が発生して危害を及ぼすことを防ぐという利点を有する。
【００２９】
また、この発明は従来の技術に見られるように貴金属の材料を用いることがないため、材料費のコストを低減させるとともに、と機種な技術、装置などを用いることがないため、製品の歩留まりを高めることができるという利点を有する。
【００３０】
この発明は、一体に構成されることによって、製造コストを節減し、製造工程において半田付けによる有毒ガスの汚染の発生を防ぎ、かつ貴金属の使用を省き、使用上の利便性を達成するノーズパッドとクリングス、及びかかるノーズパッドとクリングスを具える眼鏡を提供するものであって、パッド体と、該パッド体上に形成され、かつそれぞれに貫通孔が穿設された２つの突起部と、
該２つの突起の間に形成され、クリングスを収納する凹溝と、該貫通孔に挿通されて該クリングスを固定する挿入ピンとを具え構成され、上述する目的を達成する。
かかるノーズパッドとクリングス、及びその眼鏡の構造を詳述するために、具体的な実施例を挙げ、図面を参考にして以下に説明する。
【実施例】
【００３１】
図３にこの発明におけるノーズパッドを開示する。図面によれば、ノーズパッド３０はベース３２と、パッド体３４と突起部３６と凹溝３８と、凹溝底面３９と貫通孔４０とを具える。
【００３２】
ベース３２はパッド体３４の下方に位置し、パッド体３４は上部に位置する２つの突起部３６を含む。２つの突起部３６の間に凹溝３８を形成し、非溶着式クリングス４８（図示しない）を収納する。凹溝３８の底部には凹溝底面３９を形成してクリングス４８の嵌着に供する（図１０Ａ参照）。
【００３３】
図４に、この発明における挿入ピン４２を開示する。
【００３４】
実施例において、二つの突起部３６は、突起部３６を貫通する貫通孔４０をそれぞれ形成して挿入ピン４２の連結に供する。クリングス（図示しない）は挿入ピン４２に固定する。よって、クリングスがノーズパッド３０とリムとに連結する。
【００３５】
挿入ピン４２の末端には凸状構造を具える。よって、挿入ピン４０を貫通孔４０に挿通させた場合、挿入ピン４０がノーズパッド３０の突起部３６に容易に固定する。
【００３６】
挿入ピン４２はノーズパッド３０と非溶着式クリングス４８との間において固定の効果を達成する。係る技術はこの発明の説明に用いられるのみにあらず、またこの発明の実施の範囲を限定するものではない。挿入ピン４２はその他各種様式の固定用部材であってもよく、ネジだけに限らない。
【００３７】
斯業の技術を熟知するものであれば分かることであるが、上述するベース３２、パッド体３４、突起部３６、凹溝３８、挿入ピン４２の数、外形は上述する形態を含むが、但しこれらに限らない。その接続の順序はこの発明を説明するためのものにすぎず、この発明を限定するものではない。
【００３８】
突起部３６の形状は、円弧状、矩形、方形、三角形、円形、楕円形などを含むが、但しこれらに限らず、その他形状であってもよく、ユーザーの好み、ニーズなどに合わせて変更させることができる。
【００３９】
図５、６にノーズパッド３０と挿入ピン４２とを組み合わせた状態を開示する。ノーズパッド３０上の突起部３６の間には凹溝３８を含み、非溶着式クリングス４８を収納する。挿入ピン４２は突起部３６の貫通孔４０を貫通し、非溶着式クリングス４８（図示しない）に接続した後、さらに他の突起部３６の貫通孔４０を貫通して固定の効果を達成する。
【００４０】
図７に、他の実施の形態によるノーズパッド５０を開示する。図面によれば、ノーズパッド５０は、パッド体４２と、ベース５４と、突起部６０とを具える。
【００４１】
ベース５４はパッド体５２の下方に位置し、パッド体５２は上部に位置する２つの突起部５６を含む。２つの突起部５６の間に凹溝５８を形成し、非溶着式クリングス４８（図示しない）を嵌着する。凹溝５８の底部には凹溝底面５９を形成してクリングス４８の嵌着に供する（図１０Ｂ参照）。
【００４２】
実施例において、パッド体５２は２つの突起部５６の内側にそれぞれ突起６０を形成し、非溶着式クリングス４８（図示しない）の接続に供する。
【００４３】
斯業の技術を熟知するものであれば分かることであるが、突起部６０の円形を含むが、但しこれに限らない。また、非溶着式クリングス４８を固定するという前提の下において、ユーザーのニーズに合わせてその他の各種形状を選択することができる。よって、この発明を説明するためのものにすぎず、この発明を限定するものではない。
【００４４】
図８にノーズパッド３０の分解図を開示する。ノーズパッド３０はパッド体３４と、ベース３２とを含み、ベース３２はパッド体３４を収納する凹溝４６を具える。パッド体３４の底部には外周面に沿って外方向に突出した第１歯部６２を形成する。ベース３２の凹溝の内巣周面には第２歯部６４を形成する。第１歯部６２と第２歯部６４は、両者の突起する部分と凹状の部分の特定の外形部が互いに緊密に嵌着し、パッド体３４とベース３２とを連結する。
【００４５】
実施例において、凹溝４６にはブランド名、または商標の標章を印刷したものを貼着するか、もしくは印刷することができる。その方法はこれらに限らない。もしくは、ユーザーの好み、ニーズに合わせて文字、図形、物品の形状などに変更してもよい。
【００４６】
また、凹溝４６を透明、又は半透明とし、突起部３４の底部に表した文字、パターンなどが透明、または半透明部を解して表示されるようにしてもよい。該文字、パターンは、ユーザーの好み、ニーズに合わせて変更することができる。
【００４７】
パッド体３４とベース３２は第１歯部６２と第２歯部６４とを互いに嵌合して連結する。但し、係る方式に限らず、例えば、ネジ山を形成したり、ほぞを形成したりして、螺着、ピンによる固定などの方式を採用することができる。
【００４８】
図９Ａに、この発明における非半田式よる非溶着式クリングス４８の正面図を開示する。非溶着式クリングス４８の一端は湾曲して環状部６６を形成する。環状部６６の外形は凹溝３８に嵌着しやすいようにやや扁平した形状を呈する、また、環状部６６の一端には、突起部３６に間の凹溝３８の凹溝底面３９に嵌着しやすいように固定平面６８を形成してノーズパッド３０に連結して固定する。よって、非溶着式クリングス４８は固定の効果を提供する固定用の部材といえる。
【００４９】
図９Ｂに非溶着式クリングス４８の側面図を開示する。図面によれば、非溶着式クリングス４８の他端は、眼鏡のリムに接続する。図９Ｃは非溶着式クリングス４８の環状部６６の拡大図であって、非溶着式クリングス４８の一端に固定平面６８を含む。よって、ノーズパッド３０と非溶着式クリングス４８とを固定する固定用の部材といえる。
【００５０】
実施例において、非溶着式クリングス４８の一端に形成される環状部６６はやや扁平状を呈し、かつ一端に固定平面６８を形成する。よって、環状部６６の一端の固定平面６８が両突起部３６の間の凹溝３８に形成された凹溝底面３９に嵌着し、かつ非溶着式クリングス４８の固定平面６８が凹溝３８の凹溝底面３９に緊密に接続する。このため、非溶着式クリングス４８とノーズパッド３０との間に発生する不必要な回転を防ぐことができ、ノーズパッド３０と非溶着式クリングス４８との固定が有利になる。
【００５１】
また、非溶着式クリングス４８の環状部６６は、両突起部３６の間の凹溝３８のサイズに合わせたサイズとし、非溶着式クリングス４８とノーズパッドの両者の嵌合の便宜を図る。
【００５２】
実施例において、非溶着式クリングス４８の外形は図９Ｂに開示する湾曲形状を含むが、但しこれに限らない。湾曲の角度aは、約３０度から４０度の範囲とし、湾曲の角度ｂは約３５度から５５度の範囲とする。斯業の技術を熟知した者であれば分かることであるが、該角度a、bの範囲は上述する範囲を含むが、これに限定されることはない。即ち、この発明の実施例を説明するものであって、この発明の実施の範囲を限定するものではない。
【００５３】
実施例における非溶着式クリングス４８の一端の形状は、環状部６６を含むが、但しこれに限定しない。その他形状であってもよく、圧した形状でなくてもよい。前述する挿入ピン４２をパッド体３４上の一方の突起部３６に穿設した貫通孔４０に挿通させ、さらに非溶着式クリングス４８の環状部６６を貫通させ、パッド体３４の他方の突起部の貫通孔４０に貫通させて非溶着式クリングス４８と、ノーズパッド３０と、リムの三者を連結するための便宜を図ることのできるものであればよい。
【００５４】
実施例において、非溶着式クリングス４８の一端に形成される環状部６６はやや扁平状を呈し、かつ一端に固定平面６８を形成し、パッド体３４うえの両両突起部３６の間の凹溝３８に形成された凹溝底面３９に嵌着し、かつ非溶着式クリングス４８とノーズパッド３０とを固定する、よって、両者の間に発生する不必要な回転が発生してユーザーの不便となることを防ぐことができる。
【００５５】
図１０Ａに、非溶着式ノーズパッド３０と、挿入ピン４２と非溶着式クリングス４８とを組み合わせた状態を開示する、図面によれば、挿入ピン４２はパッド体３４上の一方の突起部３６に穿設した貫通孔４０（図示しない）を挿通し、非溶着式クリングス４８の一端の環状部６６を通過して、さらにノーズパッド３４上の他方の突起部３０に穿設した貫通孔４０を通過させ、ノーズパッド３０と、挿入ピン４２と、非溶着式クリングス４８とノーズパッド４８との三者を嵌合して固定する。
【００５６】
その他実施の形態において、この発明は挿入ピン式の一体に構成されたノーズパッドとクリングスとであってもよい。
【００５７】
実施例において、非溶着式クリングス４８の環状部６６の一端は、固定平面６８を含み、両突起部３６の間の凹溝３８に形成される凹溝底面３９と嵌合してノーズパッド３０と非溶着式クリングス４８とを固定する。
【００５８】
図１０Ｂに、別の実施形態による非溶着式クリングス５０とノーズパッド４８との組み合わせの態様を開示するノーズパッド５０は両突起部５６の内側の突起６０と非溶着式クリングス４８の一端の環状部６６とを嵌合させ、非溶着式クリングス４８とノーズパッド５０に固定する。
【００５９】
別の実施の形態では、クリップ式で一体に構成されてクリングスとノーズパッドであってもよい。
【００６０】
実施例において、非溶着式クリングス４８の環状部６６の一端は、固定平面６８を含み、両突起部３６の間の凹溝５８に形成される凹溝底面５９と嵌合してノーズパッド５０と非溶着式クリングス４８とを固定する。
【００６１】
図１０Ｃに、その他実施形態による非溶着式クリングス４８と、ノーズパッド３０と、挿入ピン４２の組み合わせの態様を開示する。挿入ピンは両突起部３６の建通孔４０（図示しない）と、非溶着式クリングス４８の環状部６６とに挿通させて、非溶着式クリングス４８に接続する。さらに、ノーズパッド３４は底部の第１歯部６２とベース３２の第２歯部５４とが嵌合して、ノーズパッド３４とベース３２とが連結する。ノーズパッド３４の底部には文字、もしくは図形を表示する。
【００６２】
また、一体に構成したロゴを表示する組み合わせ式のクリングスと、ノーズパッドであってもよい。
【００６３】
斯業の技術を熟知する者であれば分かることであるが、突起部３６の貫通孔４０と挿入ピン４２のノーズパッド３０（図５参照）は、突起部５６の内側に突起６０を具えるノーズパッド３０（図７参照）であってもよい
【００６４】
また、この発明は軽量型のノーズパッドを構成する材料は、周知の金属材を含む。但し、これに限らない。その他同等の効果を有する、または適宜な材料であってもよい。ここで注意すべき点は、この発明の精神を離れない範囲において、その他アクセサリー、装飾物を加えてもよい。これには、例えば使い心地を高めるための各種ノースパッドカバーを含むが、但しこれに限らない。
【００６５】
この発明の技術は、図１に開示する眼鏡のフレームのみならず、リムレスフレーム、ツーポイントフレーム、もしくはその他フレームの眼鏡に応用することができ、また、サングラス、ファッショングラスもふくめ、ノーズパッドを必要とする眼鏡、またはその他物件に応用することができる。
【００６６】
以上はこの考案の好ましい実施の形態であって、この考案の実施の範囲を限定するものではない。よって、当業者のなしえる修正、もしくは変更であって、この考案の精神の下においてなされ、この考案に対して均等の効果を有するものは、いずれもこの考案の実用新案登録請求の範囲に含まれるものとする。
【図面の簡単な説明】
【００６７】
【図１】従来の眼鏡の斜視図である。
【図２Ａ】従来のクリングスの部分を示した説明図である。
【図２Ｂ】従来のクリップ式のクリングスの部分を示した説明図である。
【図３】この発明におけるノーズパッドの説明）図である。
【図４】この発明における挿入ピンの説明図である。
【図５】この発明における図パッドと挿入ピンを組み合わせた状態の正面図である。
【図６】この発明における図パッドと挿入ピンを組み合わせた状態の斜視説明図である。
【図７】他の実施の形態におけるノーズパッドを示した説明図である。
【図８】他の実施の形態におけるノーズパッドの分解図である。
【図９Ａ】この発明のクリングスの正面図である。
【図９Ｂ】この発明のクリングスの側面図である。
【図９Ｃ】この発明におけるクリングスの環状部の拡大図である。
【図１０Ａ】この発明におけるノーズパッドとクリングスと挿入ピンとを組み合わせた状態を示した説明図である。
【図１０Ｂ】他の実施例におけるノーズパッドとクリングスと挿入ピンとを組み合わせた状態を示した説明図である。
【図１０Ｃ】その他実施例におけるノーズパッドとクリングスと挿入ピンとを組み合わせた状態を示した説明図である。
【符号の説明】
【００６８】
10 眼鏡
12 リム
14 テンプル
16 レンズ
18 可動式ノーズアーム
20 ネジ孔
22 クリップ式ノーズアーム
24 ノーズパッド
25 半田ポイント
26 クリングス
27 半田ポイント
28 突起
30 ノーズパッド
32 ベース
34 パッド体
36 突起部
38 凹溝
39 凹溝底面
40 関数孔
42 挿入ピン
48 非溶着式クリングス
50 ノーズパッド
52 パッド体
54 ベース
56 突起部
58 凹溝
59 凹溝底面
60 突起
62 第１歯部
64 第２歯部
66 環状部環
68 固定平面
【図１】
2009075336.tif 000003
【図２Ａ】
2009075336.tif 000004
【図２Ｂ】
2009075336.tif 000005
【図３】
2009075336.tif 000006
【図４】
2009075336.tif 000007
【図５】
2009075336.tif 000008
【図６】
2009075336.tif 000009
【図７】
2009075336.tif 000010
【図８】
2009075336.tif 000011
【図９Ａ】
2009075336.tif 000012
【図９Ｂ】
2009075336.tif 000013
【図９Ｃ】
2009075336.tif 000014
【図１０Ａ】
2009075336.tif 000015
【図１０Ｂ】
2009075336.tif 000016
【図１０Ｃ】
2009075336.tif 000017